【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
無線通信システムにおいて基地局から、非正規システム帯域幅を支援するＳＡ−プリアンブル（Ｓｅｃｏｎｄａｒｙ  Ａｄｖａｎｃｅｄ−Ｐｒｅａｍｂｌｅ）を送信する方法であって、
前記方法は、
正規システム帯域幅に対応する複数のシーケンスサブブロックを割り当てることと、
前記複数のシーケンスサブブロックのうち一つ以上のシーケンスサブブロック対を、ＤＣ成分を基準として対称的にドロッピングすることにより、前記ＳＡ−プリアンブルを構成することと、
前記ＳＡ−プリアンブルを移動局に送信することと
を含み、
前記ＳＡ−プリアンブルの帯域幅は、前記非正規システム帯域幅と同一であるか、または前記非正規システム帯域幅よりも狭く、
前記ＳＡ−プリアンブルの帯域幅は、１．２５ＭＨｚの２サブブロックのグラニュラリティで構成される、方法。
【請求項２】
前記非正規システム帯域幅は、
前記正規システム帯域幅に含まれる一つ以上のサブバンド対を、ＤＣ成分に基づいて対称的にドロッピングすることにより構成される、請求項１に記載の方法。
【請求項３】
前記ＳＡ−プリアンブルは、
前記非正規システム帯域幅が５ＭＨｚ乃至１０ＭＨｚである場合、正規システム帯域幅１０ＭＨｚに対応する複数のシーケンスサブブロックに基づいて構成され、
前記非正規システム帯域幅が１０ＭＨｚ乃至２０ＭＨｚである場合、正規システム帯域幅２０ＭＨｚに対応する複数のシーケンスサブブロックに基づいて構成される、請求項１に記載の方法。
【請求項４】
前記ＳＡ−プリアンブルは、
ＤＣ成分を基準として両側に同じ個数のシーケンスサブブロックを含む、請求項１に記載の方法。
【請求項５】
前記非正規システム帯域幅は、
２サブバンド（１．６６ＭＨｚ）のグラニュラリティで構成される、請求項１に記載の方法。
【請求項６】
正規システム帯域幅に対応する複数のシーケンスサブブロックを割り当て、前記複数のシーケンスサブブロックのうち一つ以上のシーケンスサブブロック対を、ＤＣ成分を基準として対称的にドロッピングすることにより、ＳＡ−プリアンブル（Ｓｅｃｏｎｄａｒｙ  Ａｄｖａｎｃｅｄ−Ｐｒｅａｍｂｌｅ）を構成するプロセッサと、
前記ＳＡ−プリアンブルを移動局に送信する送信モジュールと
を含み、
前記ＳＡ−プリアンブルの帯域幅は、前記非正規システム帯域幅と同一であるか、または前記非正規システム帯域幅よりも狭く、
前記ＳＡ−プリアンブルの帯域幅は、２サブブロック（１．２５ＭＨｚ）のグラニュラリティで構成される、基地局。
【請求項７】
前記非正規システム帯域幅は、
前記正規システム帯域幅に含まれる一つ以上のサブバンド対を、ＤＣ成分を基準として対称的にドロッピングすることにより構成される、請求項６に記載の基地局。
【請求項８】
前記ＳＡ−プリアンブルは、
前記非正規システム帯域幅が５ＭＨｚ乃至１０ＭＨｚである場合、正規システム帯域幅１０ＭＨｚに対応する複数のシーケンスサブブロックに基づいて構成され、
前記非正規システム帯域幅が１０ＭＨｚ乃至２０ＭＨｚである場合、正規システム帯域幅２０ＭＨｚに対応する複数のシーケンスサブブロックに基づいて構成される、請求項６に記載の基地局。
【請求項９】
前記ＳＡ−プリアンブルは、
ＤＣ成分を基準として両側に同じ個数のシーケンスサブブロックを含む、請求項６に記載の基地局。
【請求項１０】
前記非正規システム帯域幅は、
２サブバンド（１．６６ＭＨｚ）のグラニュラリティで構成される、請求項６に記載の基地局。
【請求項１１】
基地局から非正規システム帯域幅を指示するＰＡ−プリアンブル（Ｐｒｉｍａｒｙ  Ａｄｖａｎｃｅｄ−Ｐｒｅａｍｂｌｅ）を受信し、前記非正規システム帯域幅に対応するＳＡ−プリアンブル（Ｓｅｃｏｎｄａｒｙ  Ａｄｖａｎｃｅｄ−Ｐｒｅａｍｂｌｅ）を受信する受信モジュールと、
前記ＳＡ−プリアンブルを用いて、前記基地局のセル識別子を決定するプロセッサと
を含み、
前記ＳＡ−プリアンブルの帯域幅は、前記非正規システム帯域幅と同一であるか、または前記非正規システム帯域幅よりも狭く、
前記ＳＡ−プリアンブルは、
正規システム帯域幅に対応する複数のシーケンスサブブロックのうち一つ以上のシーケンスサブブロック対を、ＤＣ成分を基準として対称的にドロッピングすることにより構成され、
前記ＳＡ−プリアンブルの帯域幅は、２サブブロック（１．２５ＭＨｚ）のグラニュラリティで構成される、移動局。
【請求項１２】
前記非正規システム帯域幅は、
前記正規システム帯域幅において一つ以上のサブバンド対を、ＤＣ成分を基準として対称的にドロッピングすることにより構成される、請求項１１に記載の移動局。
【請求項１３】
前記ＳＡ−プリアンブルは、
前記非正規システム帯域幅が５ＭＨｚ乃至１０ＭＨｚである場合、正規システム帯域幅１０ＭＨｚに対応する複数のシーケンスサブブロックに基づいて構成され、
前記非正規システム帯域幅が１０ＭＨｚ乃至２０ＭＨｚである場合、正規システム帯域幅２０ＭＨｚに対応する複数のシーケンスサブブロックに基づいて構成される、請求項１１に記載の移動局。
【請求項１４】
前記ＳＡ−プリアンブルは、
ＤＣ成分を基準として両側に同じ個数のシーケンスサブブロックを含む、請求項１１に記載の移動局。
【請求項１５】
前記非正規システム帯域幅は、
２サブバンド（１．６６ＭＨｚ）のグラニュラリティで構成される、請求項１１に記載の移動局。
【請求項１６】
無線通信システムの移動局において、非正規システム帯域幅を支援するＳＡ−プリアンブル（Ｓｅｃｏｎｄａｒｙ  Ａｄｖａｎｃｅｄ−Ｐｒｅａｍｂｌｅ）を受信する方法であって、
前記方法は、
基地局から前記非正規システム帯域幅を指示するＰＡ−プリアンブル（Ｐｒｉｍａｒｙ
Ａｄｖａｎｃｅｄ−Ｐｒｅａｍｂｌｅ）を受信することと、
前記非正規システム帯域幅に対応するＳＡ−プリアンブル（Ｓｅｃｏｎｄａｒｙ  Ａｄｖａｎｃｅｄ−Ｐｒｅａｍｂｌｅ）を受信することと
を含み、
前記ＳＡ−プリアンブルの帯域幅は、前記非正規システム帯域幅と同一であるか、または前記非正規システム帯域幅よりも狭く、
前記非正規システム帯域幅は、
前記正規システム帯域幅において一つ以上のサブバンド対を、ＤＣ成分を基準として対称的にドロッピングすることにより構成され、
前記ＳＡ−プリアンブルの帯域幅は、２サブブロック（１．２５ＭＨｚ）のグラニュラリティで構成される、方法。
【請求項１７】
前記ＳＡ−プリアンブルは、
正規システム帯域幅に対応する複数のシーケンスサブブロックのうち一つ以上のシーケンスサブブロック対を、ＤＣ成分を基準として対称的にドロッピングすることにより構成される、請求項１６に記載の方法。
【請求項１８】
前記ＳＡ−プリアンブルは、
前記非正規システム帯域幅が５ＭＨｚ乃至１０ＭＨｚである場合、正規システム帯域幅１０ＭＨｚに対応する複数のシーケンスサブブロックに基づいて構成され、
前記非正規システム帯域幅が１０ＭＨｚ乃至２０ＭＨｚである場合、正規システム帯域幅２０ＭＨｚに対応する複数のシーケンスサブブロックに基づいて構成される、請求項１６に記載の方法。
【請求項１９】
前記ＳＡ−プリアンブルは、
ＤＣ成分を基準として両側に同じ個数のシーケンスサブブロックを含む、請求項１６に記載の方法。
【請求項２０】
前記非正規システム帯域幅は、
２サブバンド（１．６６ＭＨｚ）のグラニュラリティで構成される、請求項１６に記載の方法。
【手続補正２】
【補正対象書類名】明細書
【補正対象項目名】００１６
【補正方法】変更
【補正の内容】
【００１６】
より望ましくは、前記ＳＡ−プリアンブルは、ＤＣ成分を基準として両側に同じ個数のシーケンスサブブロックで構成される。また、前記ＳＡ−プリアンブルが受信される帯域幅は、２サブブロック（１．２５ＭＨｚ）のグラニュラリティで構成され、前記非正規システム帯域幅は、２サブバンド（１．６６ＭＨｚ）のグラニュラリティで構成される。
本願明細書は、例えば、以下の項目も提供する。
無線通信システムにおいて基地局が非正規システム帯域幅を支援するＳＡ−プリアンブル（Ｓｅｃｏｎｄａｒｙ  Ａｄｖａｎｃｅｄ−Ｐｒｅａｍｂｌｅ）を送信する方法であって、
正規システム帯域幅に対応する複数のシーケンスサブブロックを割り当てる段階と、
前記複数のシーケンスサブブロックのうち一つ以上のシーケンスサブブロック対を、ＤＣ成分を基準として対称的にドロッピング（ｄｒｏｐｐｉｎｇ）することで、前記ＳＡ−プリアンブルを構成する段階と、
前記ＳＡ−プリアンブルを端末に送信する段階と、を含み、
前記ＳＡ−プリアンブルを送信する帯域幅は、前記非正規システム帯域幅と同一または狭い、ＳＡ−プリアンブル送信方法。
（項目２）
前記非正規システム帯域幅は、
前記正規システム帯域幅において一つ以上のサブバンド対を、ＤＣ成分を基準として対称的にドロッピングした、項目１に記載のＳＡ−プリアンブル送信方法。
（項目３）
前記ＳＡ−プリアンブルは、
前記非正規システム帯域幅が５ＭＨｚ乃至１０ＭＨｚである場合、正規システム帯域幅１０ＭＨｚに対応する複数のシーケンスサブブロックに基づいて構成し、
前記非正規システム帯域幅が１０ＭＨｚ乃至２０ＭＨｚである場合、正規システム帯域幅２０ＭＨｚに対応する複数のシーケンスサブブロックに基づいて構成する、項目１に記載のＳＡ−プリアンブル送信方法。
（項目４）
前記ＳＡ−プリアンブルは、
ＤＣ成分を基準として両側に同じ個数のシーケンスサブブロックで構成する、項目１に記載のＳＡ−プリアンブル送信方法。
（項目５）
前記ＳＡ−プリアンブルを送信する帯域幅は、
２サブブロック（１．２５ＭＨｚ）のグラニュラリティで構成する、項目１に記載のＳＡ−プリアンブル送信方法。
（項目６）
前記非正規システム帯域幅は、
２サブバンド（１．６６ＭＨｚ）のグラニュラリティで構成する、項目１に記載のＳＡ−プリアンブル送信方法。
（項目７）
正規システム帯域幅に対応する複数のシーケンスサブブロックを割り当て、前記複数のシーケンスサブブロックのうち一つ以上のシーケンスサブブロック対を、ＤＣ成分を基準として対称的にドロッピング（ｄｒｏｐｐｉｎｇ）することで、ＳＡ−プリアンブル（Ｓｅｃｏｎｄａｒｙ  Ａｄｖａｎｃｅｄ−Ｐｒｅａｍｂｌｅ）を構成するプロセッサと、
前記ＳＡ−プリアンブルを端末に送信する送信モジュールと、を含み、
前記ＳＡ−プリアンブルを送信する帯域幅は、前記非正規システム帯域幅と同一または狭い、基地局装置。
（項目８）
前記非正規システム帯域幅は、
前記正規システム帯域幅において一つ以上のサブバンド対を、ＤＣ成分を基準として対称的にドロッピングした、項目７に記載の基地局装置。
（項目９）
前記ＳＡ−プリアンブルは、
前記非正規システム帯域幅が５ＭＨｚ乃至１０ＭＨｚである場合、正規システム帯域幅１０ＭＨｚに対応する複数のシーケンスサブブロックに基づいて構成し、
前記非正規システム帯域幅が１０ＭＨｚ乃至２０ＭＨｚである場合、正規システム帯域幅２０ＭＨｚに対応する複数のシーケンスサブブロックに基づいて構成する、項目７に記載の基地局装置。
（項目１０）
前記ＳＡ−プリアンブルは、
ＤＣ成分を基準として両側に同じ個数のシーケンスサブブロックで構成する、項目７に記載の基地局装置。
（項目１１）
前記ＳＡ−プリアンブルを送信する帯域幅は、
２サブブロック（１．２５ＭＨｚ）のグラニュラリティで構成する、項目７に記載の基地局装置。
（項目１２）
前記非正規システム帯域幅は、
２サブバンド（１．６６ＭＨｚ）のグラニュラリティで構成する、項目７に記載の基地局装置。
（項目１３）
基地局から非正規システム帯域幅を指示するＰＡ−プリアンブル（Ｐｒｉｍａｒｙ  Ａｄｖａｎｃｅｄ−Ｐｒｅａｍｂｌｅ）を受信し、前記非正規システム帯域幅に対応するＳＡ−プリアンブル（Ｓｅｃｏｎｄａｒｙ  Ａｄｖａｎｃｅｄ−Ｐｒｅａｍｂｌｅ）を受信する受信モジュールと、
前記ＳＡ−プリアンブルを用いて、前記基地局のセル識別子を決定するプロセッサと、を含み、
前記受信モジュールは、
前記ＳＡ−プリアンブルを前記非正規システム帯域幅と同一または狭い帯域幅で受信する、端末装置。
（項目１４）
前記ＳＡ−プリアンブルは、
正規システム帯域幅に対応する複数のシーケンスサブブロックのうち一つ以上のシーケンスサブブロック対を、ＤＣ成分を基準として対称的にドロッピング（ｄｒｏｐｐｉｎｇ）した、項目１３に記載の端末装置。
（項目１５）
前記非正規システム帯域幅は、
前記正規システム帯域幅において一つ以上のサブバンド対を、ＤＣ成分を基準として対称的にドロッピングした、項目１４に記載の端末装置。
（項目１６）
前記ＳＡ−プリアンブルは、
前記非正規システム帯域幅が５ＭＨｚ乃至１０ＭＨｚである場合、正規帯域幅１０ＭＨｚに対応する複数のシーケンスサブブロックに基づいて構成され、
前記非正規システム帯域幅が１０ＭＨｚ乃至２０ＭＨｚである場合、正規帯域幅２０ＭＨｚに対応する複数のシーケンスサブブロックに基づいて構成された、項目１４に記載の端末装置。
（項目１７）
前記ＳＡ−プリアンブルは、
ＤＣ成分を基準として両側に同じ個数のシーケンスサブブロックで構成される、項目１４に記載の端末装置。
（項目１８）
前記ＳＡ−プリアンブルが受信される帯域幅は、
２サブブロック（１．２５ＭＨｚ）のグラニュラリティで構成される、項目１４に記載の端末装置。
（項目１９）
前記非正規システム帯域幅は、
２サブバンド（１．６６ＭＨｚ）のグラニュラリティで構成される、項目１４に記載の端末装置。
（項目２０）
無線通信システムにおいて端末が非正規システム帯域幅を支援するＳＡ−プリアンブル（Ｓｅｃｏｎｄａｒｙ  Ａｄｖａｎｃｅｄ−Ｐｒｅａｍｂｌｅ）を受信する方法であって、
基地局から前記非正規システム帯域幅を指示するＰＡ−プリアンブル（Ｐｒｉｍａｒｙ
Ａｄｖａｎｃｅｄ−Ｐｒｅａｍｂｌｅ）を受信する段階と、
前記非正規システム帯域幅に対応するＳＡ−プリアンブル（Ｓｅｃｏｎｄａｒｙ  Ａｄｖａｎｃｅｄ−Ｐｒｅａｍｂｌｅ）を受信する段階と、を含み、
前記ＳＡ−プリアンブルは、前記非正規システム帯域幅と同一または狭い帯域幅で受信する、ＳＡ−プリアンブル受信方法。
（項目２１）
前記ＳＡ−プリアンブルは、
正規システム帯域幅に対応する複数のシーケンスサブブロックのうち一つ以上のシーケンスサブブロック対を、ＤＣ成分を基準として対称的にドロッピング（ｄｒｏｐｐｉｎｇ）した、項目２０に記載のＳＡ−プリアンブル受信方法。
（項目２２）
前記非正規システム帯域幅は、
前記正規システム帯域幅において一つ以上のサブバンド対を、ＤＣ成分を基準として対称的にドロッピングした、項目２１に記載のＳＡ−プリアンブル受信方法。
（項目２３）
前記ＳＡ−プリアンブルは、
前記非正規システム帯域幅が５ＭＨｚ乃至１０ＭＨｚである場合、正規帯域幅１０ＭＨｚに対応する複数のシーケンスサブブロックに基づいて構成され、
前記非正規システム帯域幅が１０ＭＨｚ乃至２０ＭＨｚである場合、正規帯域幅２０ＭＨｚに対応する複数のシーケンスサブブロックに基づいて構成される、項目２２に記載のＳＡ−プリアンブル受信方法。
（項目２４）
前記ＳＡ−プリアンブルは、
ＤＣ成分を基準として両側に同じ個数のシーケンスサブブロックで構成される、項目２２に記載のＳＡ−プリアンブル受信方法。
（項目２５）
前記ＳＡ−プリアンブルが受信される帯域幅は、
２サブブロック（１．２５ＭＨｚ）のグラニュラリティで構成される、項目２２に記載のＳＡ−プリアンブル受信方法。
（項目２６）
前記非正規システム帯域幅は、
２サブバンド（１．６６ＭＨｚ）のグラニュラリティで構成される、項目２２に記載のＳＡ−プリアンブル受信方法。